(57)【特許請求の範囲】
【請求項１】
電子冷却素子の両面に設けられた上下方向の冷却フィン及び放熱フィンと、
前記冷却フィンの表面側に設けられた冷却ファンと、
前記冷却フィンの下方に設けられた水受けと、
一端が前記水受けに接続され、他端が前記放熱フィン側へ導出されたパイプと、
前記放熱フィン表面のほぼ中央部に設けられた放熱ファンと、
前記放熱フィン表面の上部または下部に設けられ、一方の側面が前記放熱フィンの一方の側面とほぼ同一位置にあり、他方の側面が前記放熱フィンの他方の側面より突出した突出部を有し、前記電子冷却素子に給電する電源と
を備えたことを特徴とする電子冷却器。
【請求項２】
請求項１記載の電子冷却器が２個並設され、
電源が上部または下部に設けられた一方の前記電子冷却器の電源突出部が、他方の前記電子冷却器の放熱フィン上部または下部の上方に位置し、
電源が下部または上部に設けられた前記他方の電子冷却器の電源突出部が、前記一方の電子冷却器の放熱フィン下部または上部の上方に位置した
ことを特徴とする電子冷却装置。
【請求項３】
同一構成の２個の請求項１記載の電子冷却器を用い、一方の前記電子冷却器に対し、他方の前記電子冷却器の電源を上下逆の位置に付け変えたことを特徴とする請求項２記載の電子冷却装置。
【請求項４】
同一構成の２個の請求項１記載の電子冷却器を用い、一方の前記電子冷却器に対し、他方の前記電子冷却器を上下逆にし、前記他方の電子冷却器の水受け及びパイプを上部から下部に付け変えたことを特徴とする請求項２記載の電子冷却装置。
【請求項５】
請求項１記載の電子冷却器が３個並設され、
中央部前記電子冷却器の上部または下部に設けられた電源の突出部が、一方の側部前記電子冷却器の放熱フィン上部または下部の上方に位置し、
両側部前記電子冷却器の下部または上部に設けられた電源の突出部が、前記中央部電子冷却器の放熱フィン下部または上部の上方に位置した
ことを特徴とする電子冷却装置。
【発明の詳細な説明】
【０００１】
【発明の属する技術分野】
本発明は、電気設備、工場生産設備内の温度対策機器等に使用する電子冷却器及び電子冷却装置に関する。
【０００２】
【従来の技術】
従来の電子冷却器は、ペルティエ効果を有する電子冷却素子の両面に冷却フィン及び放熱フィンを設けるとともに、冷却フィンに空気取り込み用の冷却ファンと、放熱フィンに放熱用の放熱ファンを設け、電子冷却素子に供給するＡＣ／ＤＣ電源及び冷却フィンにより冷却した際に発生する除湿水を処理する排水ユニットを組み込み、１ユニットとして完成させている。
【０００３】
そして、冷却する大なる能力を必要とする場合は、電子冷却器を必要数組み合わせている。
【０００４】
例えば、図１０に示すように、電子冷却器１を並設し、放熱フィン２の表面上部に放熱ファン３を設け、表面下部にＡＣ／ＤＣ電源４を設けている。この場合、全体としての電子冷却装置５の幅寸法は電子冷却器１の２個分であり、幅寸法が大になることはない。
【０００５】
しかし、放熱ファン３が放熱フィン２の表面上部上方、即ち片側に寄っているため、放熱効果が悪いという問題点がある。
【０００６】
そこで、図１１に示すように、放熱ファン３を放熱フィン２の表面中央部に設け、放熱ファン３の上方または下方に、ＡＣ／ＤＣ電源４を設けるスペースがないため、両側の電子冷却器１の間に、両電子冷却器１の電源設置スペース６を設けている。
【０００７】
【発明が解決しようとする課題】
図１１に示す従来例の場合、両電子冷却器１の間に電源設置スペース６を設けているため、電子冷却装置５としての幅寸法が大になり、電子冷却装置５の大きい設置スペースを要するという問題点がある。
【０００８】
また、設置スペースが制限された場合、所要数の電子冷却器１を並設できないという問題点がある。
【０００９】
本発明は、前記の点に留意し、複数個の電子冷却器を並設した場合の幅寸法を最小限とし、要求される冷却能力に応じ、都度の設計をせずに容易に設置できる電子冷却器及び電子冷却装置を提供することを目的とする。
【００１０】
【課題を解決するための手段】
前記目的を達成するために、本発明の請求項１記載の電子冷却器は、電子冷却素子の両面に設けられた上下方向の冷却フィン及び放熱フィンと、前記冷却フィンの表面側に設けられた冷却ファンと、前記冷却フィンの下方に設けられた水受けと、一端が前記水受けに接続され、他端が前記放熱フィン側へ導出されたパイプと、
前記放熱フィン表面のほぼ中央部に設けられた放熱ファンと、前記放熱フィン表面の上部または下部に設けられ、一方の側面が前記放熱フィンの一方の側面とほぼ同一位置にあり、他方の側面が前記放熱フィンの他方の側面より突出した突出部を有し、前記電子冷却素子に給電する電源とを備えたものである。
【００１１】
前記のように構成された本発明の電子冷却器は、電子冷却素子に給電するＡＣ／ＤＣ電源が、放熱フィン表面の上部または下部、即ち、放熱フィン表面のほぼ中央部に設けられた放熱ファンの上方または下方に設けられ、電源の一方の側面が放熱フィンの一方の側面とほぼ同一位置にあり、電源の他方の側面が放熱フィンの他方の側面より突出した突出部を有するため、少なくとも２個の電子冷却器を並設して電子冷却装置とした場合、一方の電子冷却器の電源突出部を、他方の電子冷却器の放熱フィン上部または下部の上方に位置させ、他方の電子冷却器の電源突出部を、一方の電子冷却器の放熱フィン下部または上部の上方に位置させることができ、電子冷却装置の幅寸法を増大せずに、最小限にすることができ、要求される冷却能力に応じ、都度の設計をせずに容易に設置することができる。
【００１２】
つぎに、本発明の請求項２記載の電子冷却装置は、請求項１記載の電子冷却器が２個並設され、
電源が上部または下部に設けられた一方の前記電子冷却器の電源突出部が、他方の前記電子冷却器の放熱フィン上部または下部の上方に位置し、
電源が下部または上部に設けられた前記他方の電子冷却器の電源突出部が、前記一方の電子冷却器の放熱フィン下部または上部の上方に位置したものである。
【００１３】
従って、従来のように、並設された両電子冷却器の間に電源設置スペースを設けずに、幅寸法を最小限にすることができる。
【００１４】
請求項３記載の電子冷却装置は、同一構成の２個の請求項１記載の電子冷却器を用い、一方の前記電子冷却器に対し、他方の前記電子冷却器の電源を上下逆の位置に付け変え、請求項２記載の電子冷却装置としたものである。
【００１５】
この場合、冷却フィンの下方に水受けが設けられ、放熱フィン表面の上部に電源が設けられた２個の電子冷却器を用い、片側の電子冷却器の電源を、上部から下部に付け変えるのみで、幅寸法が最小限の電子冷却装置を簡単に構成することができる。
【００１６】
請求項４記載の電子冷却装置は、同一構成の２個の請求項１記載の電子冷却器を用い、一方の前記電子冷却器に対し、他方の前記電子冷却器を上下逆にし、前記他方の電子冷却器の水受け及びパイプを上部から下部に付け変え、請求項２記載の電子冷却装置としたものである。
【００１７】
この場合、片側の電子冷却器の電源を付け変えずに、片側の電子冷却器を上下逆にし、その電子冷却器の上方に位置した水受け及びパイプを、下方に付け変えるのみで、同様に簡単に電子冷却装置を構成することができる。
【００１８】
つぎに、請求項５記載の電子冷却装置は、請求項１記載の電子冷却器が３個並設され、
中央部前記電子冷却器の上部または下部に設けられた電源の突出部が、一方の側部前記電子冷却器の放熱フィン上部または下部の上方に位置し、
両側部前記電子冷却器の下部または上部に設けられた電源の突出部が、前記中央部電子冷却器の放熱フィン下部または上部の上方に位置したものである。
【００１９】
この場合、中央部電子冷却器の電源突出部の上部または下部の位置に対し、両側部電子冷却器の電源突出部が、その反対側の下部または上部に位置しているため、電子冷却器が３個の奇数の場合であっても、電子冷却装置の幅寸法を最小限にすることができる。
【００２０】
【発明の実施の形態】
本発明の実施の形態を図１ないし図９を参照して説明する。各図において同一符号は同一もしくは相当するものを示す。
〔電子冷却器〕
本発明の電子冷却器１の１形態を、図１ないし図３を参照して説明する。７は断熱材からなる上下方向の基板であり、ペルティエ効果を有する電子冷却素子が所要数設けられている。８は上下方向の冷却フィンであり、基板７の一面、即ち各電子冷却素子の冷却面に当接している。９は冷却フィン８の表面側上部に設けられた冷却ファンである。
【００２１】
１０は放熱フィンカバーであり、基板７の他面、即ち各電子冷却素子の放熱面に当接した放熱フィン２を覆い、放熱フィンカバー１０の表面ほぼ中央部に放熱ファン３が設けけられ、放熱ファン３の上方、即ち放熱フィン２表面の上部に、横長のＡＣ／ＤＣ電源４が設けられ、電源４の一方の側面４ａが、放熱フィン２の一方の側面２ａとほぼ同一位置にあり、電源４の他方の側面４ｂが放熱フィン２の他方の側面２ｂより突出し、その突出部４ｃが外方へ膨出している。
【００２２】
１１は基板７の一面に冷却フィン８の下方に設けられた水受け、１２は一端が水受け１１に接続されたパイプであり、基板７を貫通し、他端が放熱フィン２側へ導出され、冷却フィン８から水受け１１に落下した除湿水が、放熱フィン２側へ導かれる。
この電子冷却器１は、以下に説明する電子冷却装置に用いられる。
【００２３】
〔電子冷却装置〕
本発明の電子冷却装置５の形態１を、図４ないし図６を参照して説明する。この形態１は、２個の電子冷却器１ａ、１ｂを並設したものであり、電気設備、工場生産設備等の箱体１３に２個の取付口１４が透設され、両取付口１４に両電子冷却器１ａ、１ｂの冷却フィン８が、箱体１３の外方から挿入され、両電子冷却器１ａ、１ｂの基板７が箱体１３に装着されている。
【００２４】
両電子冷却器１ａ、１ｂの冷却フィン８側は同一構成であり、冷却フィン８の表面側上部に冷却ファン９が設けられ、冷却フィン８の下方に水受け１１が設けられ、水受け１１に接続されたパイプ１２が、放熱フィン２側へ導出されている。
【００２５】
両電子冷却器１ａ、１ｂの放熱フィン２側は、その表面のほぼ中央部に放熱ファン３が設けられ、ＡＣ／ＤＣ電源４が、一方の電子冷却器１ａでは放熱ファン３の上方に設けられているのに対し、他方の電子冷却器１ｂでは放熱ファン３の下方に設けられている。
【００２６】
そして、一方の電子冷却器１ａは、その電源４の一方の側面４ａ（右面）が、その放熱フィン２の一方の側面２ａ（右面）とほぼ同一位置にあり、電源４の他方の側面４ｂ（左面）が、放熱フィン２の他方の側面２ｂ（左面）より突出し、その外方へ膨出した突出部４ｃが、他方の電子冷却器１ｂの放熱フィン２上部の上方に位置している。
【００２７】
他方の電子冷却器１ｂは、その電源４の一方の側面４ａ（左面）が、その放熱フィン２の一方の側面２ａ（左面）とほぼ同一位置にあり、電源４の他方の側面４ｂ（右面）が、放熱フィン２の他方の側面２ｂ（右面）より突出し、その突出部４ｃが、一方の電子冷却器１ａの放熱フィン２下部の上方に位置し、水受け１１に接続されたパイプ１２が、電源４の直ぐ下方に位置している。
【００２８】
箱体１３の内面に、両電子冷却器１ａ、１ｂの冷却フィン８、冷却ファン９、水受け１１を覆った冷却側カバー１５が装着され、冷却側カバー１５正面の上部に吸気口１６、下部に排気口１７が形成されている。
【００２９】
箱体１３の外面に、両電子冷却器１ａ、１ｂの放熱フィン２、ＡＣ／ＤＣ電源４、パイプ１２を覆った放熱側カバー１８が装着され、放熱側カバー１８の前面中央部に吸気口１９、上面、下面に排気口２０が形成され、パイプ１２の排水口の下方に、多孔質のスポンジ状蒸発板２１が設けられ、吸気口１９の内側にフィルタ２２が設けられている。
【００３０】
この電子冷却装置５は、前記の通り、２個の電子冷却器１を組み合わせて構成されるが、全く同一構成の電子冷却器、例えば前記一方の電子冷却器１ａを２個用い、そのうちの１個の上部に位置した電源４を、放熱フィン２の下方の位置に付け変えて構成する。
【００３１】
また、同一構成の電子冷却器１を用い、一方の電子冷却器１ａに対し、他方の電子冷却器１ａを上下逆に、１８０度回転し、上部に位置した水受け１１及びパイプ１２を、放熱フィン２の下部に付け変えて構成する。この場合、放熱フィン２、基板７に透設されているパイプ１２の挿通孔は、詰物により密封する。
【００３２】
つぎに電子冷却装置５の形態２を、図７を参照して説明する。この形態２は、形態１の電子冷却装置５を２個組み合わせ、電子冷却器１の４倍の冷却能力を得るようにしたものである。
【００３３】
また、形態１の装置を３個、４個…と組み合わせることにより、６倍、８倍…の冷却能力を容易に得ることができる。
【００３４】
つぎに、電子冷却装置５の形態３を、図８を参照して説明する。この形態３は、電子冷却器１を３個並設したものであり、中央部電子冷却器１ａの上部に位置した電源４の突出部４ｃを、左側電子冷却器１ｂの放熱フィン２上部の上方に位置させ、左側電子冷却器１ｂ及び右側電子冷却器１ｃの電源４を下部に位置させ、それぞれの電源４の突出部４ｃを、中央部電子冷却器１ａの放熱フィン２下部の上方に位置させたものである。
【００３５】
そして、電子冷却器１が奇数個の場合、この形態３に形態１を複数個並設するようにしてもよい。
【００３６】
さらに、電子冷却装置５の形態４を、図９に示す。この場合、電子冷却器１が偶数個であるが、電子冷却器１の組み合わせは、任意に実施することが可能である。
【００３７】
【発明の効果】
本発明は、以上説明したように構成されているので、以下に記載されるような効果を奏する。
本発明の請求項１記載の電子冷却器１は、電子冷却素子に給電するＡＣ／ＤＣ電源４が、放熱フィン２表面の上部または下部、即ち、放熱フィン２表面のほぼ中央部に設けられた放熱ファン３の上方または下方に設けられ、電源４の一方の側面４ａが放熱フィン２の一方の側面２ａとほぼ同一位置にあり、電源４の他方の側面４ｂが放熱フィン２の他方の側面２ｂより突出した突出部４ｃを有するため、少なくとも２個の電子冷却器１を並設して電子冷却装置５とした場合、一方の電子冷却器１ａの電源突出部４ｃを、他方の電子冷却器１ｂの放熱フィン２上部または下部の上方に位置させ、他方の電子冷却器１ｂの電源突出部４ｃを、一方の電子冷却器１ａの放熱フィン２下部または上部の上方に位置させることができ、電子冷却装置５の幅寸法を増大せずに、最小限にすることができ、要求される冷却能力に応じ、都度の設計をせずに容易に設置することができる。
【００３８】
つぎに、本発明の請求項２記載の電子冷却装置５は、請求項１記載の電子冷却器１が２個並設され、電源４が上部または下部に設けられた一方の電子冷却器１ａの電源突出部４ｃが、他方の電子冷却器１ｂの放熱フィン２上部または下部の上方に位置し、電源４が下部または上部に設けられた他方の電子冷却器１ｂの電源突出部４ｃが、一方の電子冷却器１ａの放熱フィン２下部または上部の上方に位置することにより、従来のように、並設された両電子冷却器の間に電源設置スペースを設けずに、幅寸法を最小限にすることができる。
【００３９】
請求項３記載の電子冷却装置５は、同一構成の２個の請求項１記載の電子冷却器１を用い、一方の電子冷却器１ａに対し、他方の電子冷却器１ｂの電源４を上下逆の位置に付け変えたものであり、片側の電子冷却器１ｂの電源４を、上部から下部に付け変えるのみで、幅寸法が最小限の電子冷却装置５を簡単に構成することができる。
【００４０】
請求項４記載の電子冷却装置５は、同一構成の２個の請求項１記載の電子冷却器１を用い、一方の電子冷却器１ａに対し、他方の電子冷却器１ｂを上下逆にし、他方の電子冷却器１ｂの水受け１１及びパイプ１２を上部から下部に付け変えたものであり、片側の電子冷却器１ｂの電源４を付け変えずに、片側の電子冷却器１ｂを上下逆にし、その電子冷却器１ｂの上方に位置した水受け１１及びパイプ１２を、下方に付け変えるのみで、同様に簡単に電子冷却装置５を構成することができる。
【００４１】
つぎに、請求項５記載の電子冷却装置５は、請求項１記載の電子冷却器１が３個並設され、中央部電子冷却器１ａの上部または下部に設けられた電源４の突出部４ｃが、一方の側部電子冷却器１ｂの放熱フィン２上部または下部の上方に位置し、両側部電子冷却器１ｂ、１ｃの下部または上部に設けられた電源４の突出部４ｃが、中央部電子冷却器１ａの放熱フィン２下部または上部の上方に位置することにより、電子冷却器１が３個の奇数の場合であっても、電子冷却装置５の幅寸法を最小限にすることができる。
【図面の簡単な説明】
【図１】本発明の電子冷却器の実施の１形態の正面図である。
【図２】図１の右側面図である。
【図３】図１の平面図である。
【図４】本発明の電子冷却装置の実施の形態１の正面図である。
【図５】図４にカバーを装着した切断右側面図である。
【図６】図４にカバーを装着した切断平面図である。
【図７】形態２の正面図である。
【図８】形態３の正面図である。
【図９】形態４の正面図である。
【図１０】従来例の正面図である。
【図１１】他の従来例の正面図である。
【符号の説明】
１  電子冷却器
２  放熱フィン
２ａ  一方の側面
２ｂ  他方の側面
３  放熱ファン
４  電源
４ａ  一方の側面
４ｂ  他方の側面
４ｃ  突出部
５  電子冷却装置
８  冷却フィン
９  冷却ファン
１１  水受け
１２  パイプ
【図１】
0004045808.tif 000002
【図２】
0004045808.tif 000003
【図３】
0004045808.tif 000004
【図４】
0004045808.tif 000005
【図５】
0004045808.tif 000006
【図６】
0004045808.tif 000007
【図７】
0004045808.tif 000008
【図８】
0004045808.tif 000009
【図９】
0004045808.tif 000010
【図１０】
0004045808.tif 000011
【図１１】
0004045808.tif 000012